Podtech/llm-jp-corpus-v4-ja_patent huggingface dataset:
(57)【要約】【課題】  従来から豆腐は白色との固定観念があり、かつ、豆腐料理の種類は多いが豆腐そのものの種類は少なかった。豆腐に無臭化したニンニク、季節の野菜、果物、薬草等及び魚介類等を加えたニンニク入り豆腐及び製造方法を提供する。【解決手段】  前記問題点を解決するために、ニンニクの鱗茎を加熱無臭化するとともにこの無臭化されたニンニク、野菜、果物、薬草及び魚介類等を掏り潰して液汁の状態にして豆腐製造過程の豆乳に添加、または食料着色剤を添加、混合して豆腐を造ることを特徴とする。【特許請求の範囲】
【請求項１】
豆腐にニンニク鱗茎を添加食材として添加したことを特徴とするニンニク入り豆腐。
【請求項２】
ニンニク鱗茎を加熱、掏り潰して添加食材とし、豆腐製造過程の豆乳に添加攪拌することを特徴とするニンニク豆腐等の製造方法。
【発明の詳細な説明】
【技術分野】
【０００１】  ニンニクの添加食材入り豆腐の製造方法であり、食品製造技術の分野に関するものである。
【背景技術】
【０００２】  従来、豆腐は一般家庭でも製造されており、大豆から豆乳を作り、にがりを加えて凝固させるものであった。
【非特許文献１】  創森社  豆腐づくり勘どころ  Ｐ３６〜３７
【発明の開示】
【発明が解決しようとする課題】
【０００３】  従来から知られている豆腐の製造方法は大豆から豆乳を作り、にがりを加えて凝固させるものであったが、次のような欠点があった。
（１）豆腐は白色との固定観念があり、かつ、豆腐料理の種類は多いが豆腐そのものの種類は少なかった。
（２）大豆以外で添加される食材は、青海苔、わかめ、ごま、ゆず、茶葉等で比較的に比重の軽いものをそのままの形状等で添加するものが多かった。
（３）ニンニクは固形物で比重が重く、かつ、特異な臭気のため、豆腐への添加食材として利用されることがなかった。
【課題を解決するための手段】
【０００４】  本発明は、前記問題点を解決するために、通常の豆腐製造過程の豆乳にニンニク鱗茎を添加食材として加えるもので、本発明のニンニク入り豆腐の製造方法は、加熱等して無臭化したニンニクの鱗茎を掏り潰して添加食材とし、豆腐製造過程の豆乳に添加することを特徴とするものである。
【発明の効果】
【０００５】（１）ニンニクを事前に加熱することにより、ニンニク特有の匂いを極力抑制することが可能で、かつ、ニンニクの薬効成分を損なうことはない。
（２）添加しようとする食材を「掏り潰す」こすとにより、ニンニク以外の食材でも豆腐に添加が可能となる。また、各食材の風味、色合いを生かすことが出来る。
（３）豆腐にわかめ等、従来の添加食材のほかにニンニク等の食材を加えることにより、豆腐の栄養価をさらに高め、豆腐の種類を増やすことが出来る。
（４）豆腐の中に固形の添加物を感じさせず、また、ニンニクの臭いを感じさせないまろやかな味の豆腐を作ることが出来る。
（５）ニンニク以外の種々の添加食材、食料着色剤の添加により多様な豆腐の風味、色合い等を楽しむことができる。
【発明を実施するための最良の形態】
【実施例１】
【０００６】（１）大豆１を水洗いし、約１５〜１６時間の間、約１５℃の水温で浸水する。
（２）添加食材２を準備する。
ａ  ニンニクの鱗茎３を各ニンニク片４にし、皮５付きのまま蒸し器、電子レンジ等で約５分程度加熱して無臭化したニンニク片４とした後に皮５を取る。
ｂ  ニンニク片４を掏り潰し、裏ごししてペースト状の添加食材２とする。
（３）ニンニク片４の量は、重量比で１：０．２〜０．３程度の割合の量とする。
（４）水切りした大豆１に新たに水６を加え、掏り潰して呉７をつくる。
（５）呉７を加熱し、煮えたら濾過して豆乳８とおから９に分ける。
（６）ペースト状の添加食材２（ニンニク片４）に豆乳１３を加えて攪拌し、液汁の状態にして元の豆腐製造過程の豆乳８に戻し、攪拌、混合させる。
（７）豆乳８の温度が７０〜７５℃のときに、よく攪拌してにがり１０を加え凝固させる。
（８）型箱１１またはザル１２等にさらし布１３を敷いて凝固豆腐１４を型入れして水分を抜き、型出しをして豆腐１５を完成する。
以上を特徴とするニンニク入り豆腐の製造方法。【０００７】  また、大豆を水洗いし約１５〜１６時間の間、約１５℃で浸水したり、大豆を掏り潰して呉をつくることに代えて、市販の豆乳を利用してニンニク入り豆腐を製造することも可能である。【０００８】  さらに、ニンニクの他、野菜、果物、薬草及び魚介類等の食材を掏り潰して液汁の状態にして添加することも、食料着色剤等を添加することも可能である。
【産業上の利用の可能性】
【０００９】  豆腐は健康、栄養食品で幅広い調理法と人気がある。大豆の栄養素に無臭化したニンニク、生又は加熱等加工した野菜、果物、薬草及び魚介類等の添加食材を加えることによってさらに栄養価を高め、添加食材、食料着色剤等の添加で豆腐の色を多様にし、また、従来のわかめ豆腐等に加え、豆腐の多様化が可能でより多くの豆腐の風味、食感、色合い等を楽しむことができる。本発明のニンニク豆腐等の製造方法は産業上の利用の可能性は極めて高いものである。
(57)【要約】      （修正有）【課題】クレンメの流量制御部を故意または事故などで流量制御の変更が起こることを防ぐ。【解決手段】クレンメ本体を改良し一体型カバーおよび開封制御機構を具備する。【選択図】図６
2010057860.tif 000002
【特許請求の範囲】
【請求項１】
流量制御部の流量変更を防ぐカバー部を一体としたクレンメ
【請求項２】
流量制御部カバーを排除できる構造を持ったクレンメ
【請求項３】
クレンメ及びカバー部に開封制御機能を付与できる構造形態を持ったクレン                メ
【発明の詳細な説明】
【技術分野】
【０００１】
この発明は投与装置の投与流量を制御するクレンメが被投与者の故意ないし                事故による流量速度制御の変更を防ぐことに関する。
【技術背景】
【０００２】
投与装置による投与は流量を含めて制御されたものでなければ適正な治療行                為から外れて健康被害が発生する。
【０００３】
投与装置による投与を被投与者が医学的必要性の理解を欠くことからクレン                メの操作により流量を故意に変更することから健康被害が発生する。
【０００４】
投与装置の運用の必要性から可動能力が付与されている、ゆえに流量を制御                するクレンメに意図しない外圧が加わる事故で流量制御の変更が生じ健康被                害が発生する。
【０００５】
クレンメに全体を覆う器具、この場合カバー類を指すが、別途用意された器                具としてのカバーでは医療器具の衛生を保持すべき対象をいたずらに増やす                事から健康被害が発生する可能性が増える。
【０００６】
開封制御機能にいたずらに開錠をされることを懸念し、複雑なロック機構を                付けた場合、急な事故が発生した際に、解錠に時間がかかるなどして、健康                被害が発生する。
【発明の開示】
【発明が解決しようとする課題】
【０００７】
クレンメの流量制御の変更ができにくくする機構を獲得し被投与者の故意に                よる変更による健康被害を防ぐ事を課題とする。
【０００８】
意図しない外的な圧力がクレンメに加えられることから流量制御が変更され                ることによる健康被害を防ぐ事を課題とする。
【０００９】
ディスポーザブル利用可能器具であること。
【００１０】
クレンメの流量制御を故意に行った場合、その事実が容易に確認ができる機                能を獲得する。
【００１１】
クレンメの流量制御を防ぐ手段として、別途器具を用いない。
【００１２】
開封制御機構は簡便であることを要する。
【課題を解決させる為の手段】
【００１３】
本発明によるクレンメは被投与者の故意または事故による流量速度制御の変                更を防ぐカバー構造を持つ形態とする。
【００１４】
本発明によるクレンメの材質は医学的な必要性に応じて適正な材質で作成す                ることから、材質の規定は行わない。
【００１５】
不注意によるカバー忘れを防ぐ為に、カバー部流量制御部と一体成型ないし                一体成型と同様と解釈される成型で作成される。
【００１６】
本発明は上項目により安価に製作可能な要件を具備する。
【００１７】
本発明は上項目を理由として必要な器具を忘れる、器具の取扱いミス                による損壊など、本来注意すべき健康被害以外の要件を軽減する。
【００１８】
本発明のカバー部は開封制御構造をもつ、開封制御構造は、図６の爪構造に                よる開封制御、図４結束バンドなどを用いた開封制御などがあるが、本発明                においては時々の技術革新、経済合理性、管理基準の移り変わりを想定し適                正な開封制御構造を持つものであればその機構はどのようなものでも構わな                い。
【００１９】
本発明は被投与者の故意ないし事故により発生する健康被害の恐れがない
と推定された場合、カバー部分とクレンメ本体の接合部を容易に切離可能な                構造を持つ。
【００２０】
上項目記載事項を被投与者が行った場合、カバーは不可逆の機構を持たせる。                
【図面の簡単な説明】
【００２１】
【図１】本発明を構成するシステム概要である。
【図２】本発明の一体成型されたクレンメの概要
【図３】本発明の一体成型されたクレンメの概要
【図４】本発明の一体成型されたクレンメの概要
【図５】本発明の一体成型されたクレンメの概要
【図６】この発明の一体成型と解釈すべきシステム概要の一例である
【符号の説明】
【００２２】
1.切離部分  クレンメとカバー部の切離部分の一例
2.カバー部  
3.開封制御器具の一例としての結束バンド
4.開封制御部の一例としての爪状ロック部
【図１】
2010057860.tif 000003
【図２】
2010057860.tif 000004
【図３】
2010057860.tif 000005
【図４】
2010057860.tif 000006
【図５】
2010057860.tif 000007
【図６】
2010057860.tif 000008
(57)【要約】      （修正有）【課題】三方活栓の制御部・接合部への被投与者の故意ないし事故による制御の変更を防ぐ三方活栓カバーを提供する。【解決手段】三方活栓の制御部およびラインを覆うカバーを用い、開封制御部１によりロック機構を具備する。【選択図】図１
2010057859.tif 000002
【特許請求の範囲】
【請求項１】
三方活栓の制御部およびラインとの接続部の変更を防ぐ為の開封制御機能を持つカバー
【請求項２】
混合すべき種類の増加に対し、連結できるジョイント部をもつカバー
【発明の詳細な説明】
【技術分野】
【０００１】
この発明は三方活栓の制御部・ライン接続部への被投与者の故意ないし事故                による制御の変更を防ぐことに関する。
【技術背景】
【０００２】
投与装置による投与は流量を含めて制御されたものでなければ適正な治療行                為から逸脱し健康被害が発生する。
【０００３】
投与装置による投与を被投与者が医学的必要性の理解を欠くことから三方活                栓を故意に変更することから健康被害が発生する。
【０００４】
投与装置の運用の必要性から可動能力が付与されている、ゆえに制御する三                方活栓に意図しない外圧が加わる事故で健康被害が発生する。
【０００５】
開封制御については、いたずらに開錠をされることを恐れ、複雑なロック機                構を付けた場合、急な事故が発生した場合、健康被害が発生する。
【０００６】
三方活栓への故意ないし意図しない外圧が加わる事からチューブの脱落が発                生することで健康被害が発生する。
【０００７】
三方活栓本体が被投与者の身体により圧迫された状態で長時間おかれた場合                、健康被害が発生する。
【発明の開示】
【発明が解決しようとする課題】
【０００８】
厳密に制御された流量に対し被投与者の故意による制御の変更を防ぐことに                より健康被害を防ぐ事を課題とする。
【０００９】
意図しない外的な圧力が加えられることから制御が変更されることによる健                康被害を防ぐ事を課題とする。
【００１０】
三方活栓の制御の変更ができにくくする機構を獲得する。
【００１１】
被投与者が制御の変更を故意に行った場合、その事実が容易に確認ができる                機能を獲得し、より注意が必要な被投与者であること認識を得る。
【００１２】
混合すべき種類が増加した場合でも個々にカバーを取り付けていては
機器全体に不要な負荷がかかる。
【００１３】
三方活栓への故意ないし意図しない外圧が加わる事からチューブの脱落を防                ぐ機構を獲得する。
【００１４】
被投与者の身体などが三方活栓部分に圧迫する状態で長時間おかれた場合の                健康被害が発生することを防ぐ素材および構造を獲得する。
【課題を解決させる為の手段】
【００１５】
本発明は三方活栓の制御部および接続部を外的な操作から防ぐカバー構造を                持つ形態とする。
【００１６】
本発明のカバー部は開封制御構造をもつ、開封制御構造は所謂、爪構造によ                る開封制御、結束バンドなどを用いた開封制御などがあるが、本発明におい                ては時々の技術革新、経済合理性、管理基準の移り変わりを想定し適正な開                封制御構造を持つものと規定する。
【００１７】
被投与者が本発明を開封した場合、その認識を得る開封制御機構を持たせる                ことで健康被害を起こしやすい対象と認識できる。
【００１８】
本発明は、個々に接合可能なジョイント部を持つが、その接合方法は簡便を                旨とし、複雑にすることで結果健康被害の可能性が増加したり、ディスポー                ザブルな利用が維持できればスクリューマウントなど接合手段は特に問わな                い。
【図面の簡単な説明】
【００１９】
【図１】三方活栓を収納した状態
【図２】本発明のシステム概要
【図３】本発明の透視図
【図４】本発明の俯瞰図
【図５】本発明の側面図
【符号の説明】
【００２０】
１．開封制御部  2.ジョイント部
【図１】
2010057859.tif 000003
【図２】
2010057859.tif 000004
【図３】
2010057859.tif 000005
【図４】
2010057859.tif 000006
【図５】
2010057859.tif 000007
(57)【要約】      （修正有）【課題】てんぷら油を填充して加温する鍋と、この鍋の蓋としてのつば形状のフードと、先端に串揚げ材料を突き刺して加温されたてんぷら油中に挿入し、串揚げする串とからなる串揚げ用てんぷら鍋であって、串揚げ材料の互いに接触を防止するとともに、串の横方向への動きも止める。【解決手段】つば形状６の内周縁５に沿って複数個の孔３を穿設し、各孔の内周縁５側には切口４を形成し、かつ串の手元部には突起を形成してなり、串の柄部分を切口に嵌め、かつ手元部の突起を孔３に差し込んで串の滑りを止め、串揚げ材料の互いの接触を防止するとともに、串の横方向への動きも止めることを特徴とする。【選択図】図１
2010057825.tif 000002
【特許請求の範囲】
【請求項１】
てんぷら油を填充して加温する鍋と、この鍋の蓋としてのつば形状のフードと、先端に串揚げ材料を突き刺して加温されたてんぷら油中に挿入し、串揚げする串とからなる串揚げ用てんぷら鍋において、前記つば形状の内周縁に沿って複数個の孔が穿設され、各孔の内周縁側には切口が形成され、かつ前記串の手元部には突起が形成されてなり、前記串の柄部分を切口に嵌め、かつ前記手元部の突起を孔に差し込んで串の滑りを止め、串揚げ材料の互いの接触を防止するとともに、串の横方向への動きも止めることを特徴とする串揚げ用てんぷら鍋。
【請求項２】
請求項１において、串の先端を二股に形成し、串揚げ材料が串から離脱することを防止するようにした請求項１の串揚げ用てんぷら鍋。
【発明の詳細な説明】
【技術分野】
【０００１】
本発明は串揚げ用てんぷら鍋に係り、特に串先端に突き刺された串揚げ材料のてんぷら油の填充された鍋中での互いの接触を防止するとともに、串の横方向への動きをも防止し得る串揚げ用てんぷら鍋に関する。
【背景技術】
【０００２】
昨今、電磁調理器（ＩＨ）上の串揚げ用てんぷら鍋を囲んで一家団欒をしながら串揚げを楽しむ家庭が増加している。
【０００３】
この種の串揚げ用鍋として従来、サラダ油等のてんぷら油を填充して加温する図１（ｂ）に示すような鍋１と、この鍋１の蓋としての図１（ａ）に示すようなつば形状６のフード２（図１（ａ）中、孔３および切口４が存在しない）と、先端７に肉、魚介類、野菜類等の串揚げ材料を突き刺して加温されたてんぷら油中に挿入し、串揚げする図２に示すような串８（図２中、突起９が存在しない）とからなる串揚げ用てんぷら鍋が知られている。
【０００４】
しかし、この種の串揚げ用てんぷら鍋では、先端に突き刺された串揚げ材料が滑って動いたり、串そのものが横方向に動いたりして先端の串揚げ材料が他のものと接触してしまう。
【特許文献１】なし
【発明の開示】
【発明が解決しようとする課題】
【０００５】
そこで、本発明が解決しようとする課題は串揚げに際して先端に串揚げ材料の突き刺された串のてんぷら油中での滑りを止めて串揚げ材料の互いの接触を防止するとともに、串の横方向への動きも止め、前述の公知技術に存する欠点を改良した串揚げ用てんぷら鍋を提供することにある。
【課題を解決するための手段】
【０００６】
上述の課題を解決するため、本発明の串揚げ用てんぷら鍋によれば、てんぷら油を填充して加温する鍋と、この鍋の蓋としてのつば形状のフードと、先端に串揚げ材料を突き刺して加温されたてんぷら油中に挿入し、串揚げする串とからなる串揚げ用てんぷら鍋において、前記つば形状の内周縁に沿って複数個の孔が穿設され、各孔の内周縁側には切口が形成され、かつ前記串の手元部には突起が形成されてなり、前記串の柄部分を切口に嵌め、かつ前記手元部の突起を孔に差し込んで串の滑りを止め、串揚げ材料の互いの接触を防止するとともに、串の横方向への動きも止めることを特徴とする
【発明の効果】
【０００７】
上述の本発明はつば形状の内周縁に沿って複数個の孔を穿設し、かつ、各孔の内周縁側に切口を形成し、さらに、串の手元部に突起を形成したから、串の柄部分を切口に嵌め、かつ手元部の突起を孔に差し込むことにより、串の滑りを止め、串揚げ材料の互いに接触を防止するとともに、串の横方向への動きも止めるという効果を奏し得る。
【発明を実施するための最良の形態】
【０００８】
以下、本発明を添付図面を用いて詳述する。
【０００９】
図１（ａ）は本発明にかかる鍋の蓋としてのつば形状のフードの一具体例を示す。図１（ｂ）は本発明にかかる鍋の一具体例を示す。図２は本発明に用いられる串の一具体例を示す。図３は本発明にかかる串揚げ用てんぷら鍋の使用状態の一具体例を示す。
【００１０】
本発明にかかる串揚げ用てんぷら鍋Ｘはてんぷら油を填充して加温する鍋１と、この鍋１の蓋としてのつば形状のフード２と、先端７に串揚げ材料を突き刺して、加温されたてんぷら油中に挿入し、串揚げする串８とから構成される。串揚げ材料としては肉類、魚介類、野菜類等が挙げられるが、好みに応じていかなる材料であってもかまわない。
【００１１】
本発明の特徴は図１（ａ）に示されるように、つば形状６の内周縁５に沿って複数個の孔３、３・・３が穿設され、かつ孔３、３・・３の内周縁５側には切口４が形成され、さらに図２に示されるように、串８の手元部９には突起１０が形成されてなる。切口４の数は孔３、３・・３の数と同じであることが好ましい。
【００１２】
このようにしてなる本発明は使用に際して図３に示されるように、串８の柄１１部分を
切口４に嵌め、かつ手元部９の突起１０を孔３に差し込んで串８の滑り止め、串揚げ材料のてんぷら油中での互いの接触を防止するとともに、串８の横方向への動きも止める。なお、串８の先端７は図２に示されるように二股１２とすることにより、串揚げ材料の落下を防止する。図１（ｂ）中、１３は把手、図２中１４も把手であり、図３中、Ｘは串揚げ用てんぷら鍋である。
【産業上の利用可能性】
【００１３】
上述のように、本発明にかかる串揚げ用てんぷら鍋Ｘはフード２のつば形状６の内周縁５に沿って複数個の孔３、３・・３を穿設し、各孔３、３・・３の内周縁５側には切口４、４・・４を形成し、かつ串８の手元部９には突起１０を形成してなり、使用に際して串８の柄１１部分を切口４に嵌め、かつ手元部９の突起１０を孔３に差し込んで串８の滑り止め、串揚げ材料の互いの接触を防止するとともに、串８の横方向への動きも止めるものであるから、ＩＨ上の鍋１を囲んで一家団欒をしながら串揚げを楽しむ家庭が増加し、産業上多いに寄与するものと思われる。
【図面の簡単な説明】
【００１４】
【図１】（ａ）は本発明に用いられる鍋の蓋としてのつば形状のフードの一具体例である。（ｂ）は本発明に用いられる鍋の一具体例である。
【図２】本発明に用いられる串の一具体例である。
【図３】本発明にかかる串揚げ用てんぷら鍋の使用状態の一具体例である。
【符号の説明】
【００１５】
１    鍋  
２    フード
３    孔  
４    切口
５    内周縁
６    つば形状
７    先端
８    串
９    手元部
１０  突起  
１１  柄
１２  二股
１３  把手
１４  把手
Ｘ    串揚げ用てんぷら鍋
【図１】
2010057825.tif 000003
【図２】
2010057825.tif 000004
【図３】
2010057825.tif 000005
(57)【要約】【課題】従来の角質除去器具では、研削刃の径方向前側の刃が角質を起こし後側の刃で削除する構成になっているが、研削刃の経が小さく皮膚への接触面が少ないため、接触角度及び力加減の偏りなどで、角質が除去されるのみならず、皮膚にそのけずり過ぎによる傷、ささくれ等が生じる欠点があった。【解決手段】本発明は、大小円筒管１，２が同軸上に約１、５ｍｍ前後の間隔保持管３で配置され、前記各円筒管の厚みが１ｍｍ前後であり、その先端刃に径方向の断面形状がハの字型に形成された１Ａ，２Ａの研削刃を備えており、前記大円筒管１の研削刃の先端１Ａ、小円筒管２の研削刃２Ａのそれより突出しない位置にあることを特徴とする角質除去器具。【選択図】図１
2010057878.tif 000002
【特許請求の範囲】
【請求項１】
大小円筒管が同軸上に約１、５ｍｍ前後の間隔で配置され、前記各円筒管は厚みが１ｍｍ前後であり、その先端に径方向の断面形状がハの字型に形成された研削刃を備えており、前記大円筒管の研削刃の先端は、小円筒管のそれより突出しない位置にあることを特徴とする角質除去器具。
【発明の詳細な説明】
【技術分野】
【０００１】本発明は、手足の角質を除去し、皮膚の新陳代謝の活性化を促すための、角質除去器具に関する。
【背景技術】
【０００２】円筒管３１の先端に研削刃３２を形成した角質除去器具として、図５に示すものが知られている。【０００３】使用方法としては、角質のある皮膚Ｘに研削刃３２を押しあて、これを前後又は左右に動かすことにより、角質を除去し、管３１内に溜まった角質３４を排出棒３３で排除する。なお、３５はコイルスプリングである。【０００４】
【特許文献１】実用新案登録第３１４２４０号公報
【発明の表示】
【発明が解決しようとする課題】
【０００５】従来の角質除去器具では、研削刃の径方向前側の刃が角質を起こし後側の刃で削除する構成になっているが、研削刃の経が小さく皮膚への接触面が少ないため、接触角度及び力加減の偏りなどで、角質が除去されるのみならず、皮膚にそのけずり過ぎによる傷、ささくれ等が生じる欠点があった。
【課題を解決するための手段】
【０００６】本発明の角質除去器具は、上記のような従来の問題を解決するためになされたもので、大小円筒管が同軸上に約１、５ｍｍ前後の間隔で配置され、前記各円筒管は厚みが１ｍｍ前後であり、その先端刃に径方向の断面形状がハの字型に形成された研削刃を備えており、前記大円筒管の研削刃の先端は、小円筒管のそれより突出しない位置にあることを特徴とするものである。
【発明の効果】
【０００７】本発明の角質除去器具によれば、ハの字型の大小研削刃を皮膚に押し当てて角質を研削すると、角質は径方向の大円筒研削刃で起こされ、小円筒研削刃で除去される。このように大小の研削刃は、皮膚へ接触しその接触面積が広いので、加わる力に偏りがなく安定感があり、角質のけずり過ぎ、ささくれや荒削りによる正常な皮膚への傷などを防止することができる。
【発明を実施するための最良の形態】
【０００８】  以下、本発明の実施の形態を図１〜図４に示す実施例に基づいて説明する。【０００９】角質除去器具Ｋは、大小円筒管１、２と、大小円筒間隔保持管３と柄４とで構成されている。【００１０】大小円筒管１，２は、大小円筒間隔保持管３によって同軸上に約１，５ｍｍ前後の間隔で保持されている。
小円筒管２と大小円筒間隔保持管３と柄４は一体に固定されている。大円筒管１は大小円筒間隔保持管３に着脱可能となっている。
大円筒管１と小円筒管２の肉厚は１ｍｍ前後である。【００１２】大小円筒管１，２の先端には、径方向の断面形状がハの字型に形成された研削刃１Ａ，２Ａを備えている。大円筒管研削刃１Ａの先端は、小円筒管研削刃２Ａのそれより突出しない位置にある。【００１３】実施例の角質除去器具Ｋは、このような構成となっているので、使用するときは、図４に示すように本体の大小円筒管研削刃１Ａ、２Ａを皮膚表面Ｘに垂直方向に当て柄４の部分を持ち上下又は左右に動かす。このようにすると、径方向の断面形状がハの字型に形成された大円筒研削刃１Ａが皮膚表面の角質を起こし、１，５ｍｍ前後の間隔構成の小円筒研削刃２Ａが角質を除去する。【００１４】大小円筒管内に溜まった角質の排出方法は、大円筒管１を、円筒間隔保持管３から取り外して、小円筒管２内も同じく水洗いし、大円筒管１は円筒保持管に装着する。
【図面の簡単な説明】
【００１５】
【図１】実施例の角質除去器具の断面図
【図２】実施例の角質除去器具の斜視図
【図３】実施例の角質除去状況を示す断面図
【図４】従来の角質除去具の断面図
【符号の説明】
Ｋ  角質除去器具
１  大円筒管
１Ａ大円筒管研削刃
２  小円筒管
２Ａ小円筒管研削刃
３  大小円筒間隔保持管
４  柄
【図１】
2010057878.tif 000003
【図２】
2010057878.tif 000004
【図３】
2010057878.tif 000005
【図４】
2010057878.tif 000006
(57)【要約】【課題】従来のトイレットペーパーは、使用後引き出し難いが、簡単に引き出せる事を可能にする。【解決手段】従来のトイレットペーパーの中央付近に凸状のミシン目を入れる事で、切り離された後に引き出し片が残り、これが次に引き出し易くなる。人手で三角折りによって凸部を残す方法に比べて清潔である。また凸状部のミシン目の切れ目を長くしたり、凸部の幅を全幅の３０〜５０％とすることにより確実に引き出し片を残すことができる。【選択図】図３
2010057874.tif 000002
【特許請求の範囲】
【請求項１】
ペーパーの中央付近に凸状のミシン目を入れることによって、ペーパーが切り離された後の使い出し片を残し、次に使用するときに引き出し易くしたことを特徴とするトイレットペーパー。
【請求項２】
ペーパーの中央付近の凸状のミシン目の切り目の長さを、両側の直線部分のミシン目の切り目よりも長くしたことを特徴とする、請求項１に記載のトイレットペーパー。
【請求項３】
ペーパーの中央付近の凸状ミシン目部分の幅を、トイレットペーパーの全幅の３０〜５０％としたことを特徴とする、請求項１叉は２に記載のトイレットペーパー。
【請求項４】
使い出し片となる凸部の形状をＵ字形叉はＶ字形としたことを特徴とする、請求項１ないし３に記載のトイレットペーパー。
【発明の詳細な説明】
【技術分野】
【０００１】本発明は使い出し片付きトイレットペーパーに関する。
【背景技術】
【０００２】一般のトイレットペーパーのミシン目は一直線に形成されており、ペーパーホルダーに沿って切り離された場合、次に取り出すのに手間がかかる。そこで引き出し部分を残すペーパーが考案されている（特許文献１、２）。
【特許文献１】特開平１１−２３５２９２
【特許文献２】特開平８−８４６８５
【発明の開示】
【発明が解決しようとする課題】
【０００３】特許文献１の場合は、ペーパーのミシン目をいろいろな形に変形させているが、どれをとっても、そのミシン目が横一直線のペーパーホルダーに沿っていないので、ミシン目通りに切り離せない事が多い（特許文献１参照）。
特許文献２の場合は、ペーパーの引き出し部分を右端に小さく付けているが、左利きの人の場合は使い勝手が悪い。また、一番端に付いているのでそれを持って引き出そうとするとペーパーに均等に力が加わらないため、しわが寄ったり引き出し部分が破れたりする事が多い（特許文献２参照）。
【課題を解決するための手段】
【０００４】ペーパーの中央付近に凸状のミシン目を入れることによって、ペーパーが切り離された後に使い出し片を残し、次に使用するときに引き出し易くした。また、凸状のミシン目の切り目の長さを、両側の直線部分のミシン目の切り目よりも長くした。さらに、凸状ミシン目部分の幅を、トイレットペーパーの全幅の３０〜５０％とし、使い出し片となる凸部の形状を摘み易いＵ字形またはＶ字形とした。
【発明の効果】
【０００５】本発明は、トイレットペーパーに使い出し片が付いているので三角折りも不要となり衛生的である。さらに、使い出し片を中央付近に設けることにより、利き手にかかわらず使い勝手がよい。従来のミシン目の切り離し幅が少なくなり切り離し易くなるため、子供や老人にも簡単に使用できる。また、使い出し片部分にワンポイントや色づけする等のデザインを加えることで可愛らしくて素敵な製品となるばかりではなく、目が見えにくくなった人でも使用する目印になる利点もでき、人にやさしいトイレットペーパーになる。
【発明を実施するための最良の形態】
【０００６】本発明のトイレットペーパーは、図１−３に示されたように両端は従来通りの直線部分のミシン目であるが、図１−２は、中央付近にＵ字、Ｖ字形のミシン目を入れている。これが切り離されると凸部が残り、図３のように使い出し片となる。
【実施例】
【０００７】（図１）で示されるよう、１はＶ字形の使い出し片であり、２はＶ字形に入れたミシン目、３は従来のミシン目である。
（図２）で示すように、１は切り離された後にＵ字形の使い出し片ができた状態で、２はＵ字形に入れたミシン目である。
（図３）で示されたよう、切り離れた後にペーパーホルダーから使い出し片がのぞいている。
【図面の簡単な説明】
【０００８】
【図１】Ｖ字形にミシン目を入れた正面図である。
【図２】Ｕ字形にミシン目を入れた図である。
【図３】切り離された後の状態の図である。
【符号の説明】
【０００９】１    使い出し片（凸部）
【図１】
2010057874.tif 000003
【図２】
2010057874.tif 000004
【図３】
2010057874.tif 000005
(57)【要約】【課題】  本発明は、液状や油汚れなどの付着面を傷つけることなく、簡単に取り除くことができる、使い捨てのヘラ状紙ヘラ掃除器具を提供する。【解決手段】  ３層で構成された再生紙を、任意の大きさに切断し、さらに周囲に角度を付けて切断した清掃器具である。【選択図】図１
2010057877.tif 000002
【特許請求の範囲】
【請求項１】
紙の吸着性、角度、強度を兼ね備えた、従来にない紙製の掃除器具
【請求項２】
器具の形状は、使いやすさを考慮して、手のひらサイズ、携帯電話サイズ、及び細長い隙間対応サイズとする。
【発明の詳細な説明】
【技術分野】
【０００１】  本発明は、再生紙に強度を加え、さらに紙の吸収性を損なうことなく表面を特殊加工された、汚れをそぎ落としながら再生紙に吸収させる清掃器具に関するものである。
【背景技術】
【０００２】  従来、しょうゆやソースなどの液状の汚れをテーブルなどにこぼすと、キッチンペーパーやフキンなどの布で拭き取っている。
また、油汚れを落とすには、専用の洗剤を使用するか、金属やプラスチック類の硬い清掃器具を使用し強く擦り汚れを削り落とすようにしている。
【特許文献１】
【特許文献２】
【非特許文献１】
【非特許文献２】
【発明の開示】
【発明が解決しようとする課題】
【０００３】  キッチンペーパーは吸収が早くキッチンペーパーを大量に消費し、布製では、拭き取ったあとに染みこんだ汚れが取れるまで水を大量に使用している。
洗剤は排水として汚染原因を発生し、硬い器具では汚れた部分強く擦り過ぎキズつける場合があった。
【課題を解決するための手段】
【０００４】  ヘラ状の清掃器具の材質を、強度を備えた再生紙製とする。
【発明の効果】
【０００５】  材質が紙製であるので、どんなに強く擦っても汚れた素材を傷つけることなく、紙の吸収性も維持しているので、液状の汚れも再生紙が吸い取り、汚れが大きく付いた段階で捨てられるので、洗浄する水も必要でなくなる。
また、紙製であるので、形状の加工が容易であり、清掃場所の大小を選ばず、清掃箇所に合わせた形状に加工が可能である。
さらに、再生紙を原資とするので、新たな材料を必要とせず、環境に負荷を与えることなく、最終的には燃えるゴミとして、分別の煩わしさも解消できる。
【発明を実施するための最良の形態】
【０００６】  以下、本発明を実施するための最良の形態について説明する。
再生紙は、強度と厚みを考慮し、３層で構成し、中心層にはある程度強度が保てる材質とし、両側層は厚みを押さえるために、薄い材質とし、必要最小限の厚みと強度となるように形成する。
製造効率の面から、規格にあった再生紙製造から、表面のコーティングを施したのちに使い勝手のよい手のひらサイズまたは、任意のサイズに切断する。
切断された１個体の周囲全体を５ｍｍ間隔で、４５度程度の角度でさらに切断し、吸い取り・そぎ取りし易い形状に加工する。
【図面の簡単な説明】
【０００７】
【図１】本発明の平面図である。
【図２】本発明の側面図である。
【図３】本発明の断面図（拡大）である。
【符号の説明】
【０００８】１  手のひらサイズ
２  細長サイズ
３  携帯電話サイズ
４  そぎ落とし斜面
５  両側層
６  中心層
【図１】
2010057877.tif 000003
【図２】
2010057877.tif 000004
【図３】
2010057877.tif 000005
(57)【要約】【課題】  従来のレッグウェイトは、ズボンの裾と靴の間に隙間ができて足首が見えた時レッグウェイトの装着が目立つとか、その厚みのために歩行時にレッグウェイト同士が擦れ合うこともあり、通勤時などの日常的な装着が困難とされている。【解決手段】  比重の大きい物質の粉末、細粒、線材、板材などを、脛とふくらはぎの面積を越えない広さの、移動できないように内層外層間に隔壁を設けた複数枚の布やプラスチックフィルムの間に封入するか、適当な大きさに加工して内層に接着することで、全体構造を薄型にし、足に装着する面に、医療用シリコン樹脂など、粘着性を活かしたずり落ち防止層を設け、装着後に靴下で皮膚に密着させ、ずり落ち防止を強化するとともに、レッグウェイトの装着を目立たせないようにして、常時装着によるメタボリックシンドロームの改善や心肺機能の向上に寄与する。【選択図】図１
2010057873.tif 000002
【特許請求の範囲】
【請求項１】
比重の大きい物質の粉末、細粒、小片、線材、板材などを、脛とふくらはぎの面積を越えない広さの、移動できないように内層と外層の間に隔壁を設けた複数枚の布やプラスチックフィルムの間に封入するが、適当な大きさに加工して内層に接着することで、全体構造を薄型にし、足に装着する面に、医療用シリコン樹脂など、粘着性を活かしたずり落ち防止層を設け、装着後に靴下を履いて更に皮膚に密着させてずり落ち防止を強化し、靴下で被覆することにより、装着を目立たせないようにした、薄型レッグウェイト
【発明の詳細な説明】
【技術分野】
【００１】  この発明は、下肢に装着して、歩行時に適度の負荷をかけることにより、歩行に伴うエネルギー消費を増加させ、脂肪の燃焼をより多くすることにより、体内の余分な脂肪を減らし、メタボリックシンドロームを改善したり、心肺機能を向上させるなど、健康増進に寄与するレッグウェイトに関するもので、装着しているのが目立たない薄型構造を特徴とし、日常的装着を可能にするものである。
【背景技術】
【００２】  市販の健康増進用レッグウェイトは、砂鉄を詰めた布袋をマジックテープなどで足首に装着するもので、１例を挙げると５００ｇのレッグウェイトが幅８．５ｃｍ、厚さ２ｃｍで装着すると外径約１０ｃｍと足首が太くなるため、運動や散歩には使用できるものの、通勤時など日常的な使用は困難とされているのが実情である。
【発明が解決しようとする課題】
【００３】  従来のレッグウェイトを通勤や通学時に使用すると、ズボンの裾と靴の間に隙間ができて足首が見えた時に、レッグウェイトが目立って不恰好だとか、歩行時にレッグウェイト同士が擦れ合うこともあるとかで、日常的な使用を困難にしている。健康志向の高まりの中で、インターネットのブログなどでも、健康増進のために、装着が目立たないレッグウェイトの実現が要望されている。
【課題を解決するための手段】
【００４】  レッグウェイトを薄型（例えば比重を５．２の砂鉄を長さ２０ｃｍ、幅２０ｃｍの面積にすれば５００ｇのウェイトは約２．５ｍｍ程の厚さになる）にし、足への装着面に、医療用シリコン樹脂など、粘着性を活かしたずり落ち防止層を形成しておいてずり落ちない様にし、脛からふくらはぎにかけてレッグウェイトを装着、その上から靴下を履けば、数ミリ太くなる程度で外観上目立たなくなり、通勤・通学にも装着が可能で、日常的に、脂肪燃焼の増化によるメタボリックシンドロームの改善や心肺機能の向上に貢献する。
【発明を実施するための最良の形態】
【００５】  以下に、本発明の実施の形態について説明する。比重の大きい物質の粉末、細粒、小片、線材、板材などを、脛とふくらはぎの面積を越えない広さの、移動できないように内層と外層間に隔壁を設けた複数枚の布やプラスチックフィルムの間に封入するか、適当な大きさに加工して内層に接着することで、全体構造を薄型にし、レッグウェイトを足に装着する面に、医療用シリコン樹脂など、粘着性を活かしたずり落ち防止層を設けておく。装着面を脛に当て、ふくらはぎへかけて伸ばして軽く手で押さえ、その上から靴下を履いて更に皮膚に密着させてずり落ち防止を強化する。密着力が不十分ならゴムバンドなどで固定する。更に必要なら、膝の直ぐ下から靴下吊りを併用すればよい。靴下の上にレッグウェイトを貼り付ける方式も考えられるが、無負荷の靴下だけでもずり落ち落ちやすい。
【発明の効果】
【００６】  従来のレッグウェイトのように足首に荷重が集中すると摩擦により足首で皮膚に損傷が発生する危険性があるが、薄型レッグウェイトでは荷重が分散するために、損傷の危険性はかえって減少する。レッグウェイトの装着が、ズボンの裾が持ち上がった時でも、外観上目立たないため、通勤時、更には勤務中などの常時装着が可能であり、また、いつでも取り外すことが可能である。日常的に薄型レッグウェイトを装着することにより、より多くの余分な脂肪を減らし、メタボリックシンドロームを改善し、心肺機能を高め、健康増進に寄与するところが極めて大きい。サイズを大中小といくつか用意しておけば、店頭や通信販売での販売や入手が可能になる。
【図面の簡単な説明】
【図１】  本発明の１例を示す。
【図１】
2010057873.tif 000003
(57)【要約】【課題】通常の使用状態において電撃を受けることがなく、かつ、電撃を感じなくてもイオン揺動による美顔、美肌作用が継続していることを被処置者に目視させることにより、必要以上に大きな電流が流れることを回避できるイオン揺動器を提供する。【解決手段】方形波やインパルス波の替わりに台形波やサイン波、サイン二乗波、任意波形の歪み波などの時間と共に緩やかに変化する電圧波形を用い、ｄｖ／ｄｔの値を常に小さく保つと共に、電極間に流れる電流を計測する手段を備え、該計測手段の出力信号を元に人体に流れる電流値を、人が電撃を感じない範囲に収めるよう制御する手段と、時々刻々変化する印加電圧波形を棒グラフ等により表示する手段を備える。【選択図】図２
2010057875.tif 000002
【特許請求の範囲】
【請求項１】
人体の皮膚表面に接触させた電極を介して微弱な電流を流し込むことにより皮膚の健康状態や滑らかさ等を改善することを目的としたイオン揺動器において、電極間に台形波やサイン波、サイン二乗波等、時間に対する電圧の変化率ｄｖ／ｄｔの値を小さく保った電圧を印加する手段と、電極間に流れる電流を計測する手段と、該計測する手段の出力に応じて電極間に印加する電圧を制御する手段とを備えたイオン揺動器。
【請求項２】
請求項１に示したイオン揺動器において、電極間に印加する電圧の波形を表示する手段を備えたイオン揺動器。
【発明の詳細な説明】
【技術分野】
【０００１】本発明は、電子式美顔器あるいはイオン導入器等と称され、皮膚表面から電極を介して微弱電流を流し、皮膚の健康状態や滑らかさ等を改善することを目的とした器具に関するものである。
【背景技術】
【０００２】従来、この種の器具として、顔や腕の皮膚表面に貼付した電極や手のひらに握った電極、あるいは導電性繊維を編み込んだ手袋や第三者が把持して被処置者に押し当てた電極を介して方形波電圧、あるいは断続的なインパルス電圧を印加する形式のものが知られている。
【発明の開示】
【発明が解決しようとする課題】
【０００３】しかし、皮膚の電気抵抗には個人差があり、体調や気候によっても変動するため、同じ印加電圧でも予期しない電流値に達することがあるほか、方形波やインパルス波は波形の立ち上がり、および立ち下がり時の電圧変化率、所謂ｄｖ／ｄｔが極めて大きいために人体の静電容量を介して大きな変位電流が流れやすく、被処置者が電撃を受けることがあった。特に、電極が皮膚表面に接触し始める瞬間、および離れようとする瞬間に接触面積が小さくなる結果、電流集中が起こり電撃を感じやすいため、電極を当てる位置を次々に変更するのに抵抗感を感じさせる欠点があった。また、美顔、美肌効果の程度を知る手段がないため、電撃を感じるまで安易に電流を増大させやすい欠点もあった。
【課題を解決するための手段】
【０００４】本発明による電子式美顔器（以下、イオン揺動器と称する。）は、方形波やインパルス波の替わりに台形波やサイン波、サイン二乗波、任意波形の歪み波などの時間と共に緩やかに変化する電圧波形を用い、ｄｖ／ｄｔの値を常に小さく保つと共に、電極間に流れる電流を計測する手段を備え、該計測手段の出力信号を元に人体に流れる電流値を、人が電撃を感じない範囲に収めるよう制御する手段とからなる。【０００５】さらに本発明によるイオン揺動器は、時々刻々変化する印加電圧波形を棒グラフ等により表示する手段を備え、電撃を感じなくてもイオン揺動による美顔、美肌作用が継続していることを被処置者に目視させるように構成される。
【発明の効果】
【０００６】本発明によれば、使い始めに生じがちであった電撃への恐怖心を取り除くことができるほか、処置中いつでも安心して電極を当てたり外したりすることができるようになり、かつ、皮膚の状態の変動に追随して所望の電流を流すことができるために常に効果的な美顔、美肌処置が行え、さらに波形表示によってイオン揺動の様子を被処置者に見せることができるため、いたずらに強い電流を流そうとする誘惑を起こさせにくいイオン揺動器を提供することができる。
【実施例】
【０００７】図１は、本発明の基本的な構成である。図において１は全体の動作を制御するコントローラ、２は該コントローラからの制御信号を受けて任意の電圧を発生させる電圧源、３，４は板状、棒状、布状など様々な形態のイオン揺動電極、５は電流を計測するためのシャント抵抗器、６はシャント抵抗器の両端電圧から流れる電流値を知るための差動増幅器、７は印加電圧波形を表示するための表示装置である。【０００８】図２は、本発明のイオン揺動器で使用する電圧波形の例を示したものである。図に示すように台形波、サイン波、サイン二乗波を基本とし、必要とあれば任意の波形の歪み波を発生させ、これらの波長と振幅、周期、および極性を切り替えながら電極に供給し、効果的にイオンを揺動させ、美顔、美肌効果を得ることができる。
【図面の簡単な説明】
【０００９】
【図１】本発明の原理を示す基本構成図である。
【図２】本発明で用いるイオン揺動のための電圧波形の例である。
【符号の説明】
【００１０】１          コントローラ
２          電圧源
３，４      イオン揺動電極
５          シャント抵抗器
６          作動増幅器
７          表示装置
【図１】
2010057875.tif 000003
【図２】
2010057875.tif 000004
(57)【要約】【課題】  従来グランド等のライン引き器はラインの粉を取扱者がシャベル等でライン引き器に入れている。作業時粉が粉塵となり取扱者及び周囲の人間に健康被害又粉の拡散等によっての環境被害等、様々な問題が懸念されている。【解決手段】  ライン引き器の粉投入を無くし、簡単に粉の補充を可能とするためにライン引き器の粉を成型箱に入れライン引き器にセットする時、自動開封するライン引き器用粉カセット。【選択図】図２
2010057871.tif 000002
【特許請求の範囲】
【請求項１】
ライン引機の粉を成型箱に封入したカセット装置。
【請求項２】
ライン引き機に装着時自動開封するカセット装置。
【請求項３】
粉カセット装着時カセットの粉が自動的にライン引き器に投入されるライン引き器。
【発明の詳細な説明】
【発明の詳細な説明】
【産業上の利用分野】
【０００１】本発明はライン引き機の粉をカセットに封入する事により作業者の安全及び環境に配慮したライン引き器の粉カセットである。
【背景技術】
【０００２】従来普及しているライン引き器にあっては粉をライン引きに入れる時、粉塵として舞い上がる粉が作業者の健康に害を及ぼす心配があった。
【発明が解決しようとする課題】
【０００３】ライン引き器に粉を投入する時の粉塵による作業者の健康被害及び周囲の環境に及ぼす汚染を解決する粉カセット装置。
【課題を解決するための手段】
【０００４】前記目的を達成して課題を達成するため、本発明に係るライン引き機の粉カセットはライン引き機に装着時、自動開封し粉がライン引き機に落ちる。
【実施例】
【０００５】以下、添付図面に基づいて本発明の実施例を説明する。
図１は、本発明に係るライン引き器の一例である本体１のフタ３を上げて粉カセット２０をセットする。【０００６】カセット２０は本体１に取り付けた突起１３にカセット２１のみぞがはまって落下する。【０００７】カセット２０が降りるとき本体に付いている突起１３は２０に付いている２３の紐を引っ掛け２１のガイドに沿って落下する２０の下がる長さによって２２の封印シールをめくる。【０００８】２３に引っ張られた２２はカセット２０の粉排出口から外れ２５の粉が本体下部の攪拌スクリュー１１に落ちる。２５の粉は本体１に付いている車輪１０、１４の回転により攪拌スクリュー１１が回転して攪拌し排出穴１２から地面に排出されラインが引かれる。
【発明の効果】
【０００８】以上説明したように本発明に係るライン引き器の粉カセットは輸送コストの削減、取り扱いの簡便、粉塵の完全改善による、取扱者の健康被害の解消、環境汚染の絶無等多大な効果が有る。
【図面の簡単な説明】
【図１】本発明に係るライン引き器の一例を示す透視斜視図である。
【図２】本発明に係るライン引き器の粉カセットの一例を示す透視斜視図である。
【符号の説明】
１  ライン引き器の本体
２  押手棒
３  カセット装着開閉フタ
４  粉出口開閉レバー
１０、１４  車輪
１１  粉攪拌スクリュー
１２  粉排出穴
１３  カセット粉排出口封印シール剥がし装置
２０  粉カセット本体
２１  本体セットガイド
２２  封印シール
２３  封印シール剥がし紐
２５  粉
２６  カセット取手
【図１】
2010057871.tif 000003
【図２】
2010057871.tif 000004
(57)【要約】      （修正有）【課題】トイレットペーパーを使うとき、ホルダーのフタ（カッターを兼ねているもの）を持ち上げずにペーパーを取り出したり、トイレットペーパーを切り取ろうとするときに、ホルダーのフタが跳ね上がらないトイレットペーパーホルダーの提供。【解決手段】ホルダーのフタの途中にペーパー出口を作り、フタ（兼カッター）からペーパーを出すことで、その出口からカッターまでの間はホルダーの上に出しておき、上から下方向へ引っ張ることでペーパーを切り取るようにすることで、フタが跳ね上がるのを防ぐ。【選択図】図１
2010057876.tif 000002
【特許請求の範囲】
【請求項１】
トイレットペーパーを使う分だけ引っ張って、ロールから切り離すときに、下方向に向かって引っ張って切り離す方式であること。
【請求項２】
トイレットペーパーを切り離した後に、次の人が使う際に、ペーパーの端を掴み取りやすい様に、三角形になるように折りたたむが、これは、ペーパーの端が、ペーパー切り取り部分に隠れてしまうからである。しかし、この方式は、自分が使うためにペーパーを切り取った後、次の人が掴みやすいように、紙の端が切り取り部分から外に出ている。
【発明の詳細な説明】
【技術分野】
【０００１】特になし
【背景技術】
【０００２】現在ある製品を加工する技術であり、現在の技術水準で十分であり、新たな技術は不要。
【発明の開示】
【発明が解決しようとする課題】
【０００３】トイレットペーパーを使うとき、毎回ホルダーのフタ（カッターを兼ねているもの）を持ち上げなければ、ペーパーが取り出せない。【０００４】トイレットペーパーを切り取ろうとする時、従来の物は上方向にペーパーを引っ張って、カッターに当てる為、ホルダーのフタ（兼カッター）が跳ね上がってしまう。
【課題を解決するための手段】
【０００５】ホルダーのフタの途中にペーパー出口を作り、フタ（兼カッター）のにペーパーを出すことで、その出口からカッターまでの間はホルダーの上に出しておく。
上から下方向へ引っ張ることでペーパーを切り取るようにすることで、フタが跳ね上がるのを防ぐ。
【発明の効果】
【０００６】トイレットペーパーを使う際に、ホルダーのフタをいちいち持ち上げる必要が無くなる。【０００７】トイレットペーパーをロールから切り離す時に、上方向に引っ張るためにフタが跳ね上がってしまうことがなくなる。
【実施例１】
【０００８】店舗、事務所等多数の出入りがある場所に設置されたトイレには、次に使う人のために掃除の際にわざわざ三角に折り曲げることが多いが、本件によるホルダーにより、その必要がなくなる。
【発明を実施するための最良の形態】
【０００９】この発明はトイレットペーパーの改善に最良の効果を発揮する。
現在あるものの、フタ（兼カッター）の部分に穴を開け、下方向に切り取る形に製作。
【図面の簡単な説明】
【００１０】
【図１】発明品の外観を示した平面図。
【図２】発明品の横から見た図。
【図３】発明品を上から見た図。
【図４】発明品を前面を示した平面図。
【図１】
2010057876.tif 000003
【図２】
2010057876.tif 000004
【図３】
2010057876.tif 000005
【図４】
2010057876.tif 000006
(57)【要約】      （修正有）【課題】納骨の際、上蓋を取り頭より、逆さまに入れるのではなく、下蓋を設けた事により足元の方から入れて、祀る事が出来るようになる骨壺を提供する。【解決手段】骨壷１の底に開口を設けて、骨を出す為の下蓋３をつける。陶器又は陶磁器製の骨壷１の底に骨を出す為の開口部を設けて、ネジ式又はフック式の下蓋２をつける。下蓋には、持ち易いような取手等も付けてもよい又上蓋３も下蓋２もネジ式又は、フック式あるいは、プラスチック又は合成樹脂製の専用固定又は取外し可能な部品をつけても良い。【選択図】図２
2010057882.tif 000002
【特許請求の範囲】
【請求項１】
陶器又は陶磁器製の骨壷（１）の底に骨を出す為の開口部を設けて、ネジ式又はフック式で取り付け、取外しが出来る蓋（２）を設けた骨壷である。
【発明の詳細な説明】
【技術分野】
【０００１】この発明は、従来の上蓋だけしかついていなかった骨壷の底に開口部を設けて取り外しが出来る蓋をつけたものである。
【背景技術】
【０００２】宗教、宗派又、地方地方によりお葬式のやり方、方法はいろいろありますが、少なくとも、私が住む地方では、お墓に納骨する場合、骨壷の上蓋のみしかなくてその蓋を外してお骨をそのまま納骨する為に、自然に頭の方から先に納めることになります。
【発明の開示】
【発明が解決するための手段】
【０００３】これは、次のような欠点があった。従来骨壷は上蓋を開けて、底の方へ足の方から順番に納めて、最後は頭蓋骨を収めて上蓋をします、それからお墓に納骨する際は、その上蓋を取りそのまま、頭蓋骨の方から、入れる為お墓の入ってからというもの、永久的に逆さのまま、祀られることになります。
【課題を解決するための手段】
【０００４】陶器又は陶磁器製の骨壷（１）の底の部分に、開口部を設けて、ネジ式又はフック式の下蓋（２）を取り付けた、底開き骨壷である。
【発明の効果】
【０００５】従来頭の方から、お墓に納骨されていたのだが、この発明の底開き骨壷『だんだん』の場合は納骨の際に底の下蓋（２）をはずして、足元の方から、納骨出来るようになる骨壷である。
【発明を実施するための最良の形態】
【０００６】以下、本発明を実施する為の最良形態について説明する。
陶器又は陶磁器製の骨壷（１）の底に骨を出す為の開口部を設けて、ネジ式又はフック式の下蓋（２）をつける。下蓋には、持ち易いような取手等も付けてもよい又上蓋（３）も下蓋（２）もネジ式又は、フック式あるいは、プラスチック又は合成樹脂製の専用固定又は取外し可能な部品をつけても良い。
本発明は、以上のような構造である。
【図面の簡単な説明】
【０００７】
【図１】本発明の斜視図である。
【図２】本発明の断面図である。
【符号の説明】
【０００８】１．骨壷
２．下蓋
３．上蓋
【図１】
2010057882.tif 000003
【図２】
2010057882.tif 000004